(57)【要約】【課題】フックがレールから容易に外れないようにすることができる、構造が簡単な展示パネルの吊下げ装置を提供する。【解決手段】  レール２に掛けるフック３を上端面1aに有する展示パネル１の吊下げ装置５であって、レール２に掛け外しする際にレール２が通過するフック３の開口部３ａを狭める外れ止め部材５ａを、開口部３ａを狭めるロック位置と、開口部３ａから離れてレール２の通過を許容する解除位置とに回動可能として、展示パネル１の上端面１ａに枢着してある。【選択図】図３
2005265082.tif 000002
【特許請求の範囲】
【請求項１】
レールに掛けるフックを上端面に有する展示パネルの吊下げ装置であって、レールに掛け外しする際にレールが通過するフックの開口部を狭める外れ止め部材を、前記開口部を狭めるロック位置と、前記開口部から離れてレールの通過を許容する解除位置とに、回動可能として展示パネルの上端面に枢着したことを特徴とする展示パネルの吊下げ装置。
【請求項２】
外れ止め部材に、この外れ止め部材を横断し、展示パネルのパネル面より側方に突出する、外れ止め部材を回動させるためのピンを固着した請求項１記載の展示パネルの吊下げ装置。
【請求項３】
ロック位置と解除位置とにおける外れ止め部材の重心が、枢軸を境にして、互いに異なる側方に位置するようにした請求項１または２記載の展示パネルの吊下げ装置。
【請求項４】
外れ止め部材をロック位置に向けて付勢する付勢手段を設けた請求項１〜３のいずれかに記載の展示パネルの吊下げ装置。
【請求項５】
付勢手段を、外れ止め部材と展示パネルの上端面とを結んで取付けたばねとし、かつ外れ止め部材を、前記ばねの展示パネル上端面における取付位置と外れ止め部材の回動軸とを結ぶ延長線上にある思案点を超えて倒すことができるようにした請求項４記載の展示パネルの吊下げ装置。
【発明の詳細な説明】
【技術分野】
【０００１】
本発明は、展示パネルの吊下げ装置に関する。
【背景技術】
【０００２】
展示ホールの天井に、縦横にレールを張りめぐらし、フックを上端面に取付けた、種々の高さを有する展示パネルを、所望の位置にあるレールから吊下げることにより、例えば床まで届く展示パネルによって、展示スペースを所望の位置で区切ったり、展示スペース内の所望の位置から吊下げたりすることができるようにした、展示パネルの吊下げ装置は公知である。
【発明の開示】
【発明が解決しようとする課題】
【０００３】
しかし、上述のような展示パネルは、床面に立ったまま、展示パネルを少し持ち上げれば、フックを容易にレールから取外すことができるため、事故または意図しないで、展示パネルが落下したり、倒れてしまったりするおそれがある。
【０００４】
本発明は、上記事情に鑑み、フックがレールから容易に外れないようにした、構造が簡単な展示パネルの吊下げ装置を提供することを目的としている。
【課題を解決するための手段】
【０００５】
本発明によると、上記課題は、次のようにして解決される。
(１)  レールに掛けるフックを上端面に有する展示パネルの吊下げ装置であって、レールに掛け外しする際にレールが通過するフックの開口部を狭める外れ止め部材を、前記開口部を狭めるロック位置と、前記開口部から離れてレールの通過を許容する解除位置とに、回動可能として展示パネルの上端面に枢着する。
【０００６】
(２)  上記(１)項において、外れ止め部材の外れ止め部材に、この外れ止め部材を横断し、展示パネルのパネル面より側方に突出する、外れ止め部材を回動させるためのピンを固着する。
【０００７】
(３)  上記(１)または(２)項において、ロック位置と解除位置とにおける外れ止め部材の重心が、枢軸を境にして、互いに異なる側方に位置するようにする。
【０００８】
(４)  上記(１)〜(３)項のいずれかにおいて、外れ止め部材をロック位置に向けて付勢する付勢手段を設ける。
【０００９】
(５)  上記(４)項において、付勢手段を、外れ止め部材と展示パネルの上端面とを結んで取付けたばねとし、かつ外れ止め部材を、前記ばねの展示パネル上端面における取付位置と外れ止め部材の回動軸とを結ぶ延長線上にある思案点を超えて倒すことができるようにする。
【発明の効果】
【００１０】
(１)請求項１記載の発明によると、フックをレールに掛けた後、外れ止め部材をロック位置に回動させることにより、フックの開口部を狭めて、レールがフックの開口部を通り抜けて外れるのを防止することができる。
【００１１】
(２)請求項２記載の発明によると、展示パネルを吊下げた後、例えば上端部に輪の付いた操作杆等を用い、展示パネルから側方に突出したピンを、下方から操作して、外れ止め部材をロック位置や解除位置に回動させることができる。
したがって、展示パネルを吊下げた後、脚立等に上がって外れ止め部材を手で起倒させなくても、容易に外れ止め部材の機能を発揮させ、またその機能を解除して、展示パネルを下から持ち上げて取外すことができる。
【００１２】
(３)請求項３記載の発明によると、ばね等を設けることなく、外れ止め部材を、自重により、ロック位置と解除位置との両位置に安定して維持することができる。
【００１３】
(４)請求項４記載の発明によると、外れ止め部材が付勢手段によりロック位置に付勢されているので、ロックし忘れたり、地震等の振動により、ロックが解除されたりするおそれがなく、安全である。
【００１４】
(５)請求項５記載の発明によると、ばねの付勢力によって、外れ止め部材をロック位置に保持して、レールのすり抜けを防止することができるとともに、展示パネルの取外し時等に、外れ止め部材を思案点を超えて倒すことにより、解除位置にも安定して保持することができ、取外し作業を容易に行うことができる。
【発明を実施するための最良の形態】
【００１５】
図１〜図３は、本発明の第１の実施形態を示す。展示パネル(１)は、天井に縦横に張りめぐらされたレール(２)に、フック(３)を介して吊下げられ、床面(４)の近傍まで延びている。展示パネル(１)の上端面(1a)の左右両側には、フック(３)を備える１対の吊下げ装置(５)が設けられている。
【００１６】
吊下げ装置(５)は、図１の矢印(Ａ)で示すように、展示パネル(１)の上端面(1a)上における解除位置と、起立してフック(３)に寄りかかり、フック(３)をレール(２)に掛け外しするための開口部(3a)を狭めるロック位置との間で、起倒自在とされた、平板状の外れ止め部材(5a)を備えている。すなわち、外れ止め部材(5a)の下部は、展示パネル(１)のパネル面(1b)と直交する水平の回動軸(5b)を介して、展示パネル(１)の上端面(1a)に枢着されている。
【００１７】
展示パネル(１)を起立させて、フック(３)をレール(２)に掛ける際には、予め外れ止め部材(5a)を解除位置に位置させておく。本実施例においては、外れ止め部材(5a)に、それを横断して展示パネル(１)のパネル面(1a)より側方に突出するピン(5c)を取付けてある。したがって、フック(３)をレール(２)に引っ掛けた後、図３に示すように、先端に掛環(６)の付いた操作杆(７)を使って、掛環(６)の外側面をピン(5c)の側方に突出する部分に当てるか、または掛環(６)の中にピン(5c)を入れて押し上げれば、外れ止め部材(5a)は、９０°を超えて回動して、フック(３)に寄りかかり、自重によりこのロック位置を維持する。
【００１８】
その結果、フック(３)の開口部(3a)は、レール(２)の径よりも狭くなるため、レール(２)は外れなくなる。
したがって、展示パネル(１)をレール(２)に吊下げ、上端面(1a)に手が届かなくなったときでも、脚立等に上がらなくとも、操作杆(７)を用いることにより、容易に吊下げ装置(５)の機能を発揮させることができる。
【００１９】
フック(３)をレール(２)から外すには、操作杆(７')に取付けた輪(６')をピン(5c')の突出部分に引っ掛け、掛環(６)の内側面を利用してピン(5c)を引き下げる。すると、外れ止め部材(5a)は、回動して解除位置に倒れ、フック(３)の開口部(3a)は、レール(２)の径よりも広くなり、フック(３)をレール(２)から取外すことができる。
【００２０】
本実施例においては、展示パネル(１)の両パネル面(1b)(1b)の下端部に、跳ね上げ可能なドアストッパ(８)(８)を取付けてある。したがって、展示パネル(１)をレール(２)から吊下げた後、跳ね上げておいたドアストッパ(８)(８)を床面(４)に降ろせば、ドアストッパ(８)(８)先端部のエラストマー等で形成されている摩擦部材(8a)(8a)が床面(４)に当接し、展示パネル(１)がレール(２)と直交する方向に揺れ動くのが防止される。
【００２１】
このような吊下げ装置(５)を備え、床面(４)まで延びる展示パネル(１)を、図１に示すように、複数枚並べれば、展示スペースを所望の位置で仕切ることができる。
【００２２】
図４と図５は、本発明の第２の実施形態を示す。両図において、第１の実施形態と同一の要素には同一の符号を付す。
【００２３】
本実施形態の吊下げ装置(11)においては、外れ止め部材(11a)には、収縮方向に付勢された付勢手段としてのばね(12)を取付けてある。ばね(12)のもう一方の端部は、回動軸(11b)よりフック(３)側の展示パネル上端面(1a)に取付けられている。したがって、外れ止め部材(11a)をロック位置に位置させたときは、外れ止め部材(11a)は、フック(３)側に引き寄せられ、フック(３)の開口部(3a)を狭めるロック位置を、強く保持することができる。なお、この実施形態においても、前の実施形態におけるピン(5c)と同様に、ピン(11c)を設けてある。
【００２４】
また、図５に示すように、外れ止め部材(11a)は、平面視コ字状で、くぼみの底(11d)にばね(12)を取り付けてあるため、図４の矢印(Ｂ)に示すように、ばね(12)の展示パネル上端面(1a)との取付位置と回動軸(11b)との延長線(Ｃ)上にある思案点(13)を越えて、展示パネル(１)の上端面(1a)側に倒すことができる。
【００２５】
したがって、外力によって、外れ止め部材(11a)を思案点(13)よりフック(３)側に回動させない限り、ばね(12)が収縮しても、外れ止め部材(11a)が起立することはない。よって、フック(３)をレール(２)から取外す際、一旦倒した外れ止め部材(11a)が、ばね(12)の力で再び起き上がり、フック(３)の取外し作業に支障を生ずることはない。
【図面の簡単な説明】
【００２６】
【図１】本発明の第１の実施形態を備える展示パネルを示す正面図である。
【図２】同じく、側面図である。
【図３】同じく、要部拡大斜視図である。
【図４】本発明の他の実施形態を備える展示パネルを示す要部正面図である。
【図５】同じく、拡大平面図である。
【符号の説明】
【００２７】
(１)展示パネル
(1a)上端面
(1b)パネル面
(２)レール
(３)フック
(3a)開口部
(４)床面
(５)吊下げ装置
(5a)外れ止め部材
(5b)回動軸
(5c)ピン
(６)掛環
(７)操作杆
(８)ドアストッパ
(8a)摩擦部材
(11)吊下げ装置
(11a)外れ止め部材
(11b)回動軸
(11c)ピン
(11d)くぼみの底
(12)ばね（付勢手段）
(13)思案点
【図１】
2005265082.tif 000003
【図２】
2005265082.tif 000004
【図３】
2005265082.tif 000005
【図４】
2005265082.tif 000006
【図５】
2005265082.tif 000007